(57)【要約】  【課題】コンパクトに使用可能なポンプを提供する。  【課題を解決するための手段】円弧型シリンダーポンプ２は、筒軸が円弧型に湾曲するように形成されたシリンダー４を有するポンプであり、当該シリンダー４内にはピストン６が配されている。ピストン６にはピストンロッド８が接続されている。ピストンロッド８は、外力に応じて筒軸が成す円弧の円心３６を中心として回動する。これにより、ピストン６がシリンダー４内を摺動しながら往復運動し、ポンプとして機能する。【選択図】図１
2018071519.tif 000002
【特許請求の範囲】
【請求項１】
筒軸が円弧型に形成されたシリンダーと、
前記シリンダー内に配されるピストンと、
外力によって、前記筒軸が成す円弧の円心を中心として前記シリンダーに沿って回動し、該外力を前記ピストンに伝達する伝達体と、
を備える円弧型シリンダーポンプ。
【請求項２】
前記シリンダーを支持するシリンダー支持体と、
前記伝達体を介して前記ピストンを支持するピストン支持体と、
を備え、
前記ピストン支持体は、前記円心周りに回動可能に前記シリンダー支持体に組み合わされることを特徴とする請求項１に記載の円弧型シリンダーポンプ。
【請求項３】
前記ピストン支持体は、
前記シリンダー支持体に組み合わされる組合部と、
前記組合部から前記円弧を含む円の径方向に延出し、先端部に前記外力が加えられる延出部と、
を備え、
前記延出部は前記円弧の半径よりも長く延出していることを特徴とする請求項２に記載の円弧型シリンダーポンプ。
【請求項４】
筒軸が円弧型に形成されたシリンダーと、
前記シリンダー内に配され、長さ方向に伸縮可能とする蛇腹が形成された胴部を有する筒型容器と、
外力によって、前記筒軸が成す円弧の円心を中心として前記シリンダーに沿って回動し、該外力を前記筒型容器の底に伝達する伝達体と、
を備える円弧型シリンダーポンプ。
【発明の詳細な説明】
【技術分野】
【０００１】
本発明はポンプに関する。
【背景技術】
【０００２】
ポンプの一つに自転車の空気入れがある。自転車の空気入れは、ストレート型のシリンダー内にピストンが装填されており、当該ピストンにピストンロッドが接続された構成となっている（以下、当該構成から成るポンプを「ストレート型シリンダーポンプ」という）。当該ストレート型シリンダーポンプは、シリンダーから突出したピストンロッドを把持して手動でピストンを往復運動させることにより、シリンダーの先端に設けられた吐出口から空気が吐出されてタイヤに空気が入る。
【先行技術文献】
【特許文献】
【０００３】
【特許文献１】特許第５０１０３１７号公報
【発明の概要】
【発明が解決しようとする課題】
【０００４】
ストレート型シリンダーポンプは、ピストンロッドが直動する直動式のポンプであるため、使用時にピストンロッドを引き出すと、ポンプの全長はシリンダー長とピストンロッド長さの合計、すなわちシリンダー長の２倍程度の長さとなる。換言すると、ストレート型シリンダーポンプを使用するには、シリンダー長の２倍程度の直線スペースが必要となっている。
【０００５】
本発明は、コンパクトに使用可能なポンプを提供することを目的とする。
【課題を解決するための手段】
【０００６】
上記の目的を達成するため、本発明の円弧型シリンダーポンプは、筒軸が円弧型に形成されたシリンダーと、前記シリンダー内に配されるピストンと、外力によって、前記筒軸が成す円弧の円心を中心として前記シリンダーに沿って回動し、該外力を前記ピストンに伝達する伝達体と、を備えることを特徴とする。
【０００７】
また、本発明の円弧型シリンダーポンプは、筒軸が円弧型に形成されたシリンダーと、前記シリンダー内に配され、長さ方向に伸縮可能とする蛇腹が形成された胴部を有する筒型容器と、外力によって、前記筒軸が成す円弧の円心を中心として前記シリンダーに沿って回動し、該外力を前記筒型容器の底に伝達する伝達体と、を備えることを特徴とする。
【発明の効果】
【０００８】
本発明の円弧型シリンダーポンプは、伝達体に外力が加えられると、伝達体が回動してピストンや筒型容器に外力が伝達されて、シリンダーや筒型容器の内部（以下、「シリンダー等の内部」という。）に負圧や正圧が生じ、その結果、シリンダー等の内部に流体が吸入され、又は流体が吐出される。ここで、本発明は、シリンダーが円弧型に形成され、伝達体が当該円弧の円心を中心としてシリンダーに沿って回動する、回動式のポンプとして機能する。このため、本発明は、使用に際して、従来のストレート型シリンダーポンプのようなシリンダー長の２倍程度の直線スペースを要することがなく、コンパクトな使用が可能となる。
【図面の簡単な説明】
【０００９】
【図１】第１実施形態に係る円弧型シリンダーポンプの斜視図。
【図２】第１実施形態に係る円弧型シリンダーポンプの分解図。
【図３】第１実施形態に係る円弧型シリンダーポンプにおける、（ａ）シリンダー側の部分組立図、（ｂ）ピストン側の部分組立図。
【図４】第１実施形態に係る円弧型シリンダーポンプを注射器として用いる場合の説明図。
【図５】第２実施形態に係る円弧型シリンダーポンプの斜視図。
【図６】第２実施形態に係る円弧型シリンダーポンプの分解図。
【図７】第３実施形態に係る円弧型シリンダーポンプの斜視図。
【発明を実施するための形態】
【００１０】
以下、図面を用いて、本発明の円弧型シリンダーポンプ（円弧型のシリンダーを備えるポンプ）の実施形態を詳細に説明する。
【００１１】
［第１実施形態］
第１実施形態に係る円弧型シリンダーポンプ２は、図１から図３に示すように、シリンダー４、ピストン６、及びピストンロッド８が、一対のホルダー１０ａ，１０ｂの間に介設された構成となっている。
【００１２】
各ホルダー１０ａ，１０ｂは、基体１２ａ，１２ｂと、組合部１４ａ，１４ｂと、を備えた構成となっている。各基体１２ａ，１２ｂは、円板形状であって、円心（中心）３４ａ，３４ｂが互いに同軸上になるように対向して配置されており、当該軸（以下、「回動軸Ｐ１」という。）周りに相対的に回動可能となるように組合部１４ａ，１４ｂによって組み合わされている。組合部１４ａは、一方の基体１２ａの円心部に設けられた円筒状の軸受である。組合部１４ｂは、他方の基体１２ｂの円心部に設けられ、円柱状の軸部であり、組合部１４ａに挿入される。そして、この一方の基体１２ａにシリンダー４が固定され、他方の基体１２ｂにピストン６およびピストンロッド８が固定されている。
【００１３】
シリンダー４は、その筒軸Ｐ２が半円弧型に湾曲するように形成されている。なお、筒軸Ｐ２は、筒の一端２０から他端２２にかけて延びる筒内の中心線である。半円弧型のシリンダー４は、筒軸Ｐ２が成す半円弧の円心３６（以下、「シリンダー４の円心３６」という。）が回動軸Ｐ１上に位置するように一方の基体１２ａ上に配されている。シリンダー４の一端２０は開口しており、他端２２には、シリンダー４の内外を連通させ、外方に向かって延出した筒口２４が設けられている。このようなシリンダー４及びホルダー１０ａによってシリンダーユニット２６が構成されている。
【００１４】
ピストンロッド８は、シリンダー４の筒軸Ｐ２と同じ半円弧型に湾曲しており、ピストンロッド８の円心３８が回動軸Ｐ１上においてシリンダー４の円心３６と同位置となるように、取付部２８を介して他方の基体１２ｂに取り付けられている。このため、シリンダー４内に挿通されたピストンロッド８は、シリンダー４の筒軸Ｐ２上を回動することとなる。ピストンロッド８は、シリンダー長（シリンダーの一端２０から他端２２までの長さ）と同じ長さであり、その先端にピストン６が取り付けられている。ピストン６の態様は特に限定されず、公知の態様が採用される。本実施形態では、シリンダー４の内壁を摺動しながら往復運動する円柱状のピストン６が用いられている。このようなピストン６、ピストンロッド８、及びホルダー１０ｂによってピストンユニット３０が構成されている。
【００１５】
上記の構成を備えた本実施形態の円弧型シリンダーポンプ２は、手持ち式であり、各ホルダー１０ａ，１０ｂの縁３２が使用者に把持されて操作される。使用者によって、ピストンユニット３０がシリンダーユニット２６に対して回動（正転又は逆転）されると、当該回動に伴って、ピストンロッド８が回動軸Ｐ１周りに回動し、ピストン６がシリンダー４内を往復運動することとなる。このピストン６の往復運動に伴って、シリンダー４内には正圧又は負圧が生じ、正圧によって気体や液体などの流体が筒口２４を介してシリンダー４外に吐き出され、負圧によって流体がシリンダー４内に吸入される。
【００１６】
このような本実施形態の円弧型シリンダーポンプ２において、ピストンロッド８は、外力によって、シリンダー４の円心３６を中心としてシリンダー４に沿って回動し、外力をピストン６に伝達する伝達体として機能している。また、ホルダー１０ａは、シリンダー４を支持するシリンダー支持体として機能している。さらに、ホルダー１０ｂは、ピストンロッド８（伝達体）を介してピストン６を支持するピストン支持体として機能している。また、ホルダー１０ｂの基体１２ｂは、組合部１４ｂからシリンダー４の筒軸Ｐ２が成す半円弧を含む円の径方向と同方向に延出しており、その縁３２（先端部）に使用者の回動力（外力）が加えられる延出部として機能している。
【００１７】
本実施形態の円弧型シリンダーポンプ２は、シリンダー４が半円弧型に形成され、ピストンロッド８が当該シリンダー４の円心３６を中心として、当該シリンダー４の筒軸Ｐ２を含む円周上を回動する、回動式のポンプとして機能する。このような円弧型シリンダーポンプ２によれば、使用時にピストンロッド８を引いた場合に、当該円心３６を中心としてシリンダー４とピストンロッド８が略環状を形成することとなるので、従来のストレート型シリンダーポンプのような、直線スペースを必要とすることがなく、コンパクトな使用が可能となっている。
【００１８】
また、シリンダー４を支持するホルダー１０ａと、ピストンロッド８を支持するホルダー１０ｂとが、各々の組合部１４ａ，１４ｂを介して組み合わされており、当該組合部１４ａ，１４ｂは、ピストンロッド８の回動中心であるシリンダー４の円心３６の周りに互いに回動可能となっている。すなわち、一対のホルダー１０ａ，１０ｂによって、ピストンロッド８はシリンダー４の円心３６周りに互いに回動可能となるように組み合わされている。このような一対のホルダー１０ａ、１０ｂを把持して、本実施形態の円弧型シリンダーポンプ２が操作されるため、シリンダー４に対するピストンロッド８の軸ぶれが生じない。よって、従来のストレート型シリンダーポンプでは、ピストンロッドを引き出したときに、シリンダーに対してピストンロッドが軸ぶれし易いため、ポンプの操作が容易ではないという課題を、本実施形態の円弧型シリンダーポンプ２は解決することができる。
【００１９】
また、ピストンユニット３０において、他方の基体１２ｂの縁３２は梃子の力点に相当し、組合部１４ｂは梃子の支点に相当し、取付部２８が設けられた部分は梃子の作用点に相当している。したがって、本実施形態の円弧型シリンダーポンプ２は、梃子の作用によってピストンロッド８を押し込むことが可能となる。よって、従来のストレート型シリンダーポンプでは、ピストンロッドを押し込んでシリンダー内に正圧が生じると、当該圧力が反作用としてピストンロッドに作用したため相応の力を要したが、本実施形態の円弧型シリンダーポンプによれば、少ない力でピストンロッド８を押し込むことが可能となる。さらに、ピストンロッド８の円心３８からピストンロッド８までの距離をＬ１、ピストンロッド８にかかる力をｆ１とし、他方の基体１２ｂの円心３４ｂから縁３２までの距離（基体１２ｂの半径）をＬ２、使用者によって縁３２に加えられる力をｆ２としたとき、ｆ１×Ｌ１＝ｆ２×Ｌ２の関係式が成立する。そして、当該関係式からｆ２＝ｆ１×Ｌ１／Ｌ２として求められる。してみれば、Ｌ２がＬ１よりも長いほど、使用者の力は小さくてすむこととなる。すなわち、ピストンロッド８の回動半径よりも、他方の基体１２ｂの半径が大きいほど、ポンプの操作を省力化することができる。
【００２０】
さらにまた、各基体１２ａ，１２ｂの縁３２には、凹凸が形成されているので、使用者が力を加えるときに、滑らずに力を加えることができる。
【００２１】
本実施形態の円弧型シリンダーポンプ２は、種々の用途に用いることができる。例えば、図４に示すように、本実施形態の円弧型シリンダーポンプ２と、シリンダー４の筒口２４が嵌め込まれる針もと４０を有する注射針４２と、を備える注射器として用いることができる。
【００２２】
本発明は、上記の第１実施形態に限定されず、以下に説明する第２実施形態や第３実施形態であってもよい。なお、以下の第２実施形態および第３実施形態の説明において、第１実施形態と共通する構成の説明は省略するか、必要に応じて簡単に言及することとする。
【００２３】
［第２実施形態］
第２実施形態に係る円弧型シリンダーポンプ４４は、図５および図６に示すように、シリンダー４６、ピストン７、及びピストンロッド４８が、一対のホルダー１０ａ，１０ｂの間に介設された構成となっており、シリンダー４６内には蛇腹チューブ５０が入れられている。
【００２４】
シリンダー４６は、その筒軸Ｐ３が優弧型に湾曲するように形成されており、当該筒軸Ｐ３を成す優弧の円心５２（以下、「シリンダー４６の円心５２」という。）が一方の基体１２ａの円心３４ａ（回動軸Ｐ１）上に位置するように配されている。本実施形態のシリンダー４６には、組合部１４ａに面した周壁にスリット５４が形成されており、スリット５４はシリンダー４６の一端５６から他端５８にかけて細長く形成されている。シリンダー４６の両端５６，５８は開口しており、他端５８にはノズルキャップ６０が取り付けられている。ノズルキャップ６０は、シリンダー４６の他端５８を覆うキャップ部６２と、キャップ部６２の中心部から延出したノズル部６４と、から構成されている。キャップ部６２には、例えば、シリンダー４６の他端５８の表面に形成された雄螺子に螺合される雌螺子が形成されており、シリンダー４６に対して着脱可能となっている。このノズルキャップ６０は、蛇腹チューブ５０がシリンダー４６内に入れられた後にシリンダー４６に取り付けられる。
【００２５】
蛇腹チューブ５０は、練歯磨やマヨネーズに代表されるペースト状の液体が入った筒型容器であって、円形の底部６６と、底部６６から延出した胴部６８と、胴部６８の先端に形成された口部７０と、から構成されており、胴部６８にはその全長を伸縮可能にする蛇腹が形成されている。この蛇腹チューブ５０がシリンダー４６内に入れられると、蛇腹チューブ５０の底部６６がシリンダー４６内に配されたピストン７に当接することとなる。なお、蛇腹チューブ５０の口部７０とノズルキャップ６０のノズル部６４の口とが互いに連通するように、ノズル部６４と口部７０とを互いに位置決めする位置決め構造がノズル部６４と口部７０の各々に形成されてもよい。このような位置決め構造は、例えば、ノズル部６４の内側に形成された雌螺子と、この雌螺子に螺合され、口部７０の外側に形成された雄螺子が採用される。
【００２６】
ピストン７は、シリンダー４６内に配されて、シリンダー４６内を往復運動する点において実施形態１のピストン６と共通するが、このピストン６のようにシリンダー４６の内壁と接触した状態で移動する必要はない。ピストン７にはピストンロッド４８が接続されている。ピストンロッド４８は、シリンダー４６内のピストン７からスリット５４を通過して組合部１４ｂに接続された板状体であって、シリンダー４６の円心５２を中心としてスリット５４に沿って回動する。なお、本実施形態の組合部１４ｂは、他方の基体１２ｂの円心部に設けられた円筒状の軸受けである。また、組合部１４ａは、一方の基体１２ａの円心部に設けられた円柱状の軸部である。
【００２７】
本実施形態の円弧型シリンダーポンプ４４もまた手持ち式であって、一対のホルダー１０ａ，１０ｂの縁３２が使用者に把持されて操作される。蛇腹チューブ５０が入れられたシリンダーユニット７４に対してピストンユニット７２が正転されると、ピストンロッド４８が回動軸Ｐ１周りに回動し、ピストン７がシリンダー４６内を奥（他端５８）に向かって移動する。蛇腹チューブ５０はピストン７に押されて収縮し、蛇腹チューブ５０内の流体がノズル部６４から吐出される。
【００２８】
上記した本実施形態の円弧型シリンダーポンプ４４において、ピストンロッド４８は、外力によって、シリンダー４６の円心５２を中心としてシリンダー４６に沿って回動し、外力をピストン７に伝達する伝達体として機能している。また、ホルダー１０ａは、シリンダー４６を支持するシリンダー支持体として機能している。さらに、ホルダー１０ｂは、ピストンロッド４８（伝達体）を介してピストン７を支持するピストン支持体として機能している。また、ホルダー１０ｂの基体１２ｂは、組合部１４ｂからシリンダー４６の筒軸Ｐ３が成す優弧を含む円の径方向と同方向に延出しており、その縁３２（先端部）に使用者の回動力（外力）が加えられる延出部として機能している。
【００２９】
第２実施形態の円弧型シリンダーポンプ４４は、シリンダー４６が優弧型に形成され、ピストンロッド４８がシリンダー４６の円心５２を中心として、当該シリンダー４６の筒軸Ｐ３を含む円周上を回動する、回動式のポンプとして機能する。このような円弧型シリンダーポンプ４４によれば、ピストンロッド４８は、シリンダー４６とその円心５２の間で回動するものであるから、従来のストレート型シリンダーポンプのような、直線スペースを必要とすることがなく、コンパクトな使用が可能となっている。
【００３０】
また、シリンダー４６を支持するホルダー１０ａと、ピストンロッド４８を支持するホルダー１０ｂとが、各々の組合部１４ａ，１４ｂを介して組み合わされており、当該組合部１４ａ，１４ｂは、ピストンロッド４８の回動中心であるシリンダー４６の円心５２の周りに互いに回動可能となっている。すなわち、一対のホルダー１０ａ，１０ｂによって、ピストンロッド４８はシリンダー４６の円心５２の周りに互いに回動可能となるように組み合わされている。このような一対のホルダー１０ａ、１０ｂを把持して、本実施形態の円弧型シリンダーポンプ４４が操作されるため、シリンダー４６に対するピストンロッド４８の軸ぶれがなく、安定した操作が可能となる。
【００３１】
また、ピストンユニット７２において、他方の基体１２ｂの縁３２は梃子の力点に相当し、組合部１４ｂは梃子の支点に相当し、ピストンロッド４８とピストン７の接続部分は梃子の作用点に相当している。したがって、本実施形態の円弧型シリンダーポンプ４４は、梃子の作用によって、少ない力で蛇腹チューブ５０を収縮させることが可能となる。さらに、ピストンロッド４８の回動中心からピストン７との接続部分までの距離をＬ１、ピストン７にかかる力をｆ１とし、他方の基体１２ｂの円心３４ｂから縁３２までの距離（基体１２ｂの半径）をＬ２、使用者によって縁３２に加えられる力をｆ２としたとき、ｆ１×Ｌ１＝ｆ２×Ｌ２の関係式が成立する。そして、当該関係式からｆ２＝ｆ１×Ｌ１／Ｌ２として求められる。してみれば、Ｌ２がＬ１よりも長ければ長いほど、使用者の力は小さくてすむこととなる。すなわち、ピストンロッド４８の長さよりも、他方の基体１２ｂの半径が大きいほど、ポンプの操作を省力化することができる。
【００３２】
さらに、本実施形態では、所定の流体が入った蛇腹チューブ５０をシリンダー４６内に納めて使用するものであるから、使用者の使用用途に適した蛇腹チューブ５０を適宜交換して使用することができる。
【００３３】
また、蛇腹チューブ５０の底部６６とピストン７は、接着剤などによって接着されても良い。このような態様にあっては、蛇腹チューブ５０から液体を絞り出した後に、ピストンロッド４８を一端５６に向かって移動させることで、蛇腹チューブ５０内に負圧が生じて液体を吸入することが可能となる。
【００３４】
［第３実施形態］
第３実施形態に係る円弧型シリンダーポンプ７６は、自転車７８の空気入れであって、図７に示すように、シリンダー４、ピストンバルブ８０、及びピストンロッド８２が、自転車７８のフレームに取り付けられた構成となっている。
【００３５】
自転車７８は、公知のダイヤモンドフレームを備えており、当該ダイヤモンドフレームの下パイプ８４と立パイプ８６の間にはブラケット８８が架設されている。ブラケット８８は、板状であり、自転車７８の基準中心面（ヘッドパイプ（不図示）、上パイプ（不図示）、立パイプ８６、及び下パイプ８４の中心線によって作られる平面）に対して平行に配されている。このようなブラケット８８に対して本実施形態の円弧型シリンダーポンプ７６が取り付けられる。なお、自転車７８のフレーム構造はダイヤモンドフレームに限定されず、ブラケット８８が取付可能であれば、他の公知のフレーム構造を採用してもよい。
【００３６】
円弧型シリンダーポンプ７６は、筒軸が半円弧型に湾曲するように形成されたシリンダー４を備えている。シリンダー４の両端２０，２２の間には、当該両端２０，２２に溶接されたステー９０が板状に延在している。ステー９０はブラケット８８に重ねて配される。ステー９０とブラケット８８には、互いに連通する取付穴が開設されており、取付穴に通されたボルトにナットが螺合されることで、ブラケット８８に対してステー９０が取り付けられる。
【００３７】
シリンダー４内には、自転車の空気入れに用いられる公知のピストンバルブ８０が、シリンダーの内壁を摺動しながら往復可能に装填されている。ピストンバルブ８０には、ピストンロッド８２の先端部が接続されている。ピストンロッド８２は、シリンダー４のシリンダー長と略同じ長さの棒状体であり、シリンダー４の筒軸Ｐ２（図３）と同じ半円弧型に湾曲している。このようなピストンロッド８２は、その円心がシリンダー４の円心と同位置になるように配されている。
【００３８】
ピストンロッド８２の円心及びシリンダー４の円心を通る軸９２がステー９０から垂直に延出している。軸９２には、レバー９６のジョイント部９４が回動可能に接続されている。レバー９６は、当該ジョイント部９４と、延出部９７と、にぎり１００と、から構成されている。延出部９７は、ジョイント部９４から延出している。当該延出方向は、シリンダー４の筒軸Ｐ２が成す半円弧を含む円の径方向と同方向であり、かつピストンロッド８２の後端に設けられた環状部９８内を通過する方向である。延出部９７の先端には使用者によって把持されるにぎり１００が設けられている。なお、レバー９６は環状部９８の前後で前側レバーと後側レバーとに分解可能となっているが、このような態様に限定されず、後側レバーが伸縮可能に構成されてもよい。
【００３９】
シリンダー４の他端２２にはキャップ１０２が取り付けられており、当該キャップ１０２からホース１０４が延出している。ホース１０４の先端には、前タイヤ（不図示）および後タイヤ（不図示）のタイヤバルブに適合する口金（不図示）が設けられている。口金（不図示）が空気入れの対象となるタイヤのタイヤバルブに取り付けられることで、空気入れが可能な状態となる。
【００４０】
本実施形態の円弧型シリンダーポンプ７６は、使用者がにぎり１００を把持してレバー９６を回動することで、レバー９６に接続されたピストンロッド８２が、その円心を中心として、シリンダー４の筒軸Ｐ２（図３）上を回動する。これによりピストンバルブ８０がシリンダー４内を摺動しながら往復運動することとなる。ピストンバルブ８０が往復運動することで、シリンダー４内に取り入れられた空気が圧縮され、ホース１０４及び口金（不図示）を通じてタイヤに注入される。
【００４１】
上記した円弧型シリンダーポンプ７６において、ピストンロッド８２は、外力によって、シリンダー４の円心を中心としてシリンダー４に沿って回動し、外力をピストンバルブ８０に伝達する伝達体として機能している。また、ステー９０はシリンダー４６を支持するシリンダー支持体として機能している。さらに、レバー９６はピストンロッド８２（伝達体）を介してピストンバルブ８０を支持するピストン支持体として機能している。ジョイント部９４はステー９０に対してレバー９６を回動可能に組み合わせる組合部として機能している。
【００４２】
本実施形態の円弧型シリンダーポンプ７６は、シリンダー４が半円弧型に形成され、ピストンロッド８２が当該シリンダー４の円心を中心として、当該シリンダー４の筒軸Ｐ２（図３）を含む円周上を回動する、回動式のポンプとして機能する。このような円弧型シリンダーポンプ７６によれば、使用時にピストンロッド８２を引いた場合に、シリンダー４の円心を中心としてシリンダー４とピストンロッド８２が略環状を形成することとなるので、従来のストレート型シリンダーポンプのような、直線スペースを必要とすることがなく、コンパクトな使用が可能となっている。
【００４３】
また、ピストンロッド８２とシリンダー４は、レバー９６、軸９２、及びステー９０を介して、シリンダー４に対してピストンロッド８２が軸ぶれしないように組み合わされている。よって、安定した操作が可能となる。
【００４４】
また、レバー９６におけるにぎり１００は梃子の力点に相当し、ジョイント部９４は梃子の支点に相当し、延出部９７は梃子の作用点に相当している。したがって、本実施形態の円弧型シリンダーポンプ７６は、梃子の作用によってピストンロッド８２を押し込むことが可能となる。よって、従来のストレート型シリンダーポンプでは、ピストンロッドを押し込んでシリンダー内に正圧が生じると、当該圧力が反作用としてピストンロッドに作用したため相応の力を要したが、本実施形態の円弧型シリンダーポンプによれば、少ない力でピストンロッド８２を押し込むことが可能となる。さらに、ジョイント部９４の中心からピストンロッド８２との連結部分までの距離をＬ１、ピストンロッド８２にかかる力をｆ１とし、ジョイント部９４の中心からにぎり１００の距離をＬ２、使用者によってにぎり１００に加えられる力をｆ２としたとき、ｆ１×Ｌ１＝ｆ２×Ｌ２の関係式が成立する。そして、当該関係式からｆ２＝ｆ１×Ｌ１／Ｌ２として求められる。してみれば、Ｌ２がＬ１よりも長いほど、使用者の力は小さくてすむこととなる。すなわち、ピストンロッド８２の回動半径よりも、レバー９６の長さが長いほど、ポンプの操作を省力化することができる。
【００４５】
さらに、本実施形態の円弧型シリンダーポンプ７６は、自転車７８に設置して常に携帯することができる。よって、時や場所を問わずに空気入れが可能なる。
【００４６】
本発明は上記した各実施形態を適宜変更したものであってもよい。
【００４７】
（１）シリンダーやピストンロッドの材質は、特に限定されず、金属やプラスチックなど、円弧型シリンダーポンプの用途に応じて定めることができる。
【００４８】
（２）シリンダーは、筒軸が半円弧や優弧に限られず、劣弧であってもよい。また、シリンダーの筒径や筒長は、特に限定されず、円弧型シリンダーポンプの用途や設置場所などに応じて定めることができる。また、シリンダーの筒径や筒長に応じて、ピストンの形態やピストンロッドの長さを定めることができる。
【００４９】
（３）一対の基体１２ａ，１２ｂは、円板形状に限られず、多角形状など種々の形状を採用することが可能である。
【００５０】
（４）組合部１４ａ、１４ｂには、公知の軸部品および軸受部品を用いることができる。
【００５１】
（５）第１実施形態に係る円弧型シリンダーポンプ２は、そのシリンダー４内に第２実施形態で用いた蛇腹チューブ５０が装填されたものであってもよい。
【００５２】
（６）第２実施形態に係る円弧型シリンダーポンプ４４においては、ピストン７は必須の構成ではなく、ピストン７を省いた態様であってもよい。
【００５３】
（７）シリンダーの先端に設けられた筒口２４、ノズルキャップ６０、及びキャップ１０７の内部に、シリンダーから吐出された流体の逆流を防止する弁を設けても良い。
【００５４】
本発明はその趣旨を逸脱しない範囲で、当業者の知識に基づき種々の改良、修正、変形を加えた態様で実施し得るものであり、これらの態様はいずれも本発明の範囲に属するものである。
【００５５】
例えば、第２実施形態に係る円弧型シリンダーポンプ４４において、ピストンロッド４８の移動に連動しながらスリット５４を塞ぎ、シリンダー４６内の気密性を高めてもよい。その一例として、組合部１４ｂの外周がシリンダー４６に接するように形成すれば、スリット５４が当該組合部１４ｂの外周によって塞がれて気密性が向上する。
【符号の説明】
【００５６】
２，４４，７６  …  円弧型シリンダーポンプ
４，４６  …  シリンダー
６，７，８０  …  ピストン
８，４８，８２  …  ピストンロッド
１２ａ，１２ｂ  …  基体
１４ａ，１４ｂ  …  組合部
５０  …  蛇腹チューブ
９６  …  レバー
Ｐ２，Ｐ３  …  筒軸
【図１】
2018071519.tif 000003
【図２】
2018071519.tif 000004
【図３】
2018071519.tif 000005
【図４】
2018071519.tif 000006
【図５】
2018071519.tif 000007
【図６】
2018071519.tif 000008
【図７】
2018071519.tif 000009
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
筒軸が円弧型に形成されたシリンダーと、
前記シリンダー内に配されるピストンと、
外力によって、前記筒軸が成す円弧の円心を中心として前記シリンダーに沿って回動し、該外力を前記ピストンに伝達する伝達体と、
前記シリンダーを支持するシリンダー支持体と、
前記伝達体を介して前記ピストンを支持するピストン支持体と、
を備え、
前記ピストン支持体は、前記円心周りに回動可能に前記シリンダー支持体に組み合わされることを特徴とする円弧型シリンダーポンプ。
【請求項２】
前記ピストン支持体は、
前記シリンダー支持体に組み合わされる組合部と、
前記組合部から前記円弧を含む円の径方向に延出し、先端部に前記外力が加えられる延出部と、
を備え、
前記延出部は前記円弧の半径よりも長く延出していることを特徴とする請求項１に記載の円弧型シリンダーポンプ。
【請求項３】
筒軸が円弧型に形成されたシリンダーと、
前記シリンダー内に配され、長さ方向に伸縮可能とする蛇腹が形成された胴部を有する筒型容器と、
外力によって、前記筒軸が成す円弧の円心を中心として前記シリンダーに沿って回動し、該外力を前記筒型容器の底に伝達する伝達体と、
を備える円弧型シリンダーポンプ。